(57)【要約】【課題】  合成樹脂製の筒状網材が軸芯方向に幾重にも巻き込まれているので、弾力性を有し、形状安定性・耐久性に優れるとともに、水切れが良く衛生面に優れ、手の平サイズで、片手でも容易にきめ細かい泡を立てることができ、年齢に係わらず幅広く使用できる泡立てネットを提供することを目的とする。【解決手段】  伸縮性を有する合成樹脂製の筒状網材を両端部から巻き込んで形成される泡立てネットであって、 前記筒状網材の端部を収束固着して固着部を形成し、前記固着部を前記筒状網材の内側略中心（軸芯）に移動させ、前記筒状網材の軸線方向の両側部の折返端部を外側若しくは内側に巻き込み巻込み体を形成し、次いで結束部材で前記固着部を介して前記筒状網材の側面外周を軸線方向と並行に周回して、前記結束部材で前記筒状網材を３０〜１２０°間隔で結束することで形成される複数の突起部を備える構成を有している。【選択図】  図１
0003173417.tif 000002
【実用新案登録請求の範囲】
【請求項１】
伸縮性を有する合成樹脂製の筒状網材を両端部から巻き込んで形成される泡立てネットであって、 前記筒状網材の端部を収束固着して固着部を形成し、前記固着部を前記筒状網材の内側略中心に移動させ、前記筒状網材の軸線方向の両側部の折返端部を外側若しくは内側に巻き込み巻込み体を形成し、次いで結束部材で前記固着部を介して前記筒状網材の側面外周を軸線方向と平行に周回して、前記結束部材で前記筒状網材を３０〜１２０°間隔で結束することで形成される複数の突起部を備えることを特徴とする泡立てネット。
【請求項２】
前記突起部が軸線方向に垂直な平面上に略等間隔に形成されていることを特徴とする請求項１に記載の泡立てネット。
【請求項３】
前記固着部と前記筒状網材を前記筒状網材の外周の側面方向から前記結束部材で結束するとともに、前記結束部材を軸線方向と平行に前記固着部を中心として９０°間隔で前記筒状網材の側面外周を結束し、前記突起部が軸線方向に対して上下に略等間隔に４個ずつ形成されたことを特徴とする請求項１又は２に記載の泡立ちネット。
【考案の詳細な説明】
【技術分野】
【０００１】
本考案は、片手で容易に泡立てることができる泡立てネットに関する。
【背景技術】
【０００２】
従来より、合成樹脂製のネットを用いた顔や身体の洗浄用の泡立てネットには、石鹸を入れて用いる袋状のものや、筒状のネットを結束することで形成される略球状のもの等が用いられていた。しかしながら、これらのものは泡立ってもきめが粗く、良質な泡を得ることが難しかった。これらの課題を解決するために、（特許文献１）には、「伸縮性がある目の細かい適度な弾力性のある筒状ネットを蛇腹状に縮め、筒状蛇腹ネットの輪の上下中央を蝶々の羽根型に締結固定することにより筒状ネットのヒダが幾重にも層を有する泡立てネット」が開示されている。
また、（特許文献２）には、「伸縮性を有する網材により形成される筒状網材をその軸線方向に押し縮めることにより形成された環状ネット本体の対峙する２ヶ所をそれぞれ結束部材により結束し、環状ネット本体に対する押し縮め力を解放することにより形成された泡立てネットであって、筒状網材は、その径方向に沿う伸縮率が、軸線方向に沿う伸縮率よりも大きいことを特徴とする泡立てネット」が開示されている。
【先行技術文献】
【特許文献】
【０００３】
【特許文献１】特開２００９−１３６６３７公報
【特許文献２】特開２００９−１０６６２７公報
【考案の概要】
【考案が解決しようとする課題】
【０００４】
しかしながら上記従来の技術においては、以下のような課題を有していた。
（１）（特許文献１）に開示の技術は、二本の棒を立てたネット受け台を用い、筒状ネットを蛇腹状に縮めて、左右中央を上下中央に締結固定しただけであるので、使用時に圧縮の繰り返しにより露出した端部の網目が露出し、そこからネットが裂け、耐久性にかけるとともに、泡立てネットの製造に特別な台を使う必要があるという課題を有していた。
（２）（特許文献２）に開示の技術は、（特許文献１）と同様に、使用により筒状網材の端部から裂けやすく耐久性に欠けるとともに、泡立てネットの製造に板状体が必要であるという課題を有していた。
【０００５】
本考案は上記従来の課題を解決するもので、合成樹脂製の筒状網材が軸芯方向に幾重にも巻き込まれているので、弾力性を有し、形状安定性・耐久性に優れるとともに、水切れが良く衛生面に優れ、手の平サイズに収めることができるので、片手でも容易にきめ細かい泡を立てることができ、年齢に係わらず幅広く使用できる泡立てネットを提供することを目的とする。
【課題を解決するための手段】
【０００６】
上記従来の課題を解決するために、本考案の泡立てネットは、以下の構成を有している。
本考案の請求項１に記載の泡立てネットは、伸縮性を有する合成樹脂製の筒状網材を両端部から巻き込んで形成される泡立てネットであって、 前記筒状網材の端部を収束固着して固着部を形成し、前記固着部を前記筒状網材の内側略中心（軸芯）に移動させ、前記筒状網材の軸線方向の両側部の折返端部を外側若しくは内側に巻き込み巻込み体を形成し、次いで結束部材で前記固着部を介して前記筒状網材の側面外周を軸線方向と平行に周回して、前記結束部材で前記筒状網材を３０〜１２０°間隔で結束することで形成される複数の突起部を備える構成を有している。
この構成により、以下のような作用が得られる。
（１）剛性を有する筒状網材が巻き込まれて幾重にも折り重なり、結束部と結束部の間が膨出した突起部を形成し弾性を有するので、石鹸や洗顔剤を付け泡立てネットを手揉みすることで、生成する泡が細分化され、片手でも容易にきめ細かい泡を立てることができるとともに、弾力性があり、形状安定性に優れる。
（２）筒状網材の端部が巻き込まれているので、使用中に端部から裂けることが無く、耐久性に優れる。
（３）筒状網材を巻き込んで、結束部材で縛ればよいので、特別な器材等を必要とせず、容易に製造することができる。
（４）突起部の数を、結束部材の結束間隔を固着部を中心とした所定の角度にすることで調節できるので、使用する筒状網材の大きさによって、最適な大きさの突起部を形成することができるとともに、デザイン性にも優れる。
（５）固着部を介して結束するので、結束部材を固着部に固定しつつ結束することができるとともに、固着部で結束部材のほつれを保護することができる。
【０００７】
合成樹脂製の筒状網材としては、ポリエステル、ポリエチレン、ポリアミド、ポリビニルアルコール等の種々のものを使用することができる。筒状網材は、合成樹脂を一体押出し成形法により形成される筒状のプラスチックネットであり、その径方向の伸縮率が、軸線方向における伸縮率よりも大きくなるように形成されている。尚、筒状網材の網目形状は、菱形、四角形状、三角形状、円形状等の各種形状を採用することができる。
また、使用される通常網材としては、軸線方向の長さが３０〜４０ｃｍ、折り径が６〜１２ｃｍ、目数が７０〜１００、厚みが０．１〜０．５であるものが好ましい。ここで、折り径とは、筒状網材を伸ばさずに平面状に折り潰した時の径方向の長さであり、目数とは、周方向における網目の数のことをいう
長手方向の長さが３０ｃｍより短くなる、若しくは、折り径が６ｃｍより小さくなるにつれ、泡立てネットの大きさが小さくなりすぎ使いづらくなる、若しくは、折り重ねる回数が少なくなり泡立ちが悪くなる傾向にあり好ましくない。４０ｃｍより大きくなる、若しくは、折り径が１２ｃｍより大きくなるにつれ、泡立てネットの大きさが大きくすぎ片手で使いづらくなる、若しくは、折り重ねる回数が増えて感触が硬くなり、手揉みを繰り返すのが困難となる傾向にあり好ましくない。
【０００８】
固着部の形成方法は、筒状網材の端部を固着できればどのような方法でも良く、熱による溶着、接着剤等による固着等が好適に用いられる。
【０００９】
突起部は、結束部材を固着部を中心として３０〜１２０°間隔で結束して、２個以上形成される。結束部の間隔が３０°より小さくなるにつれ、突起部の数が増え過ぎ、製造が困難になる傾向にあり好ましくない。１２０°より大きくなるにつれ、幅広に形成されるので、手が小さい子供等では片手で使いづらく利便性に欠ける。
突起部は、結束部材を外周側面側から結束することで、突起部を軸線方向に対して複数に分割するよう形成しても良い。
【００１０】
結束部材は、筒状網材を縛ることができる糸状体若しくは紐状体であればどのようなものでも良いが、その中でも強度のあるものが好適に用いられる。強度のある糸状体としては、厚手の生地に用いられるポリエステル製のミシン糸等が好適に用いられる。強度のある結束部材を用いることで、摩擦等で結束部材の一部が切れたり解れたりし難く、密に結束することができるので、使用時の感触にも影響を与えない。
また、結束する際に市販のビーズ等を介して結束することもできる。これにより、泡立てネットの製造後の結束部材の端部を隠すとともに、使用による摩擦等による結束部材の解れ等を防ぎ、加えて、デザイン性を増すことができる。
【００１１】
請求項２に記載の考案は、請求項１に記載の泡立てネットであって、前記突起部が軸線方向に垂直な平面上に略等間隔に形成されている構成を有している。
この構成により、請求項１で得られる作用に加え以下の作用が得られる。
（１）突起部が略等間隔に形成されるので、どの方向から握った場合でも、略同じ状態でつかめるので、わざわざ持ち変えることなく泡立てる事ができ、利便性が高い。
【００１２】
突起部を等間隔で形成することで、泡立てネットを三つ葉状、四つ葉状、梅の花弁状等のデザイン性にすぐれる形状に形成することができる。
【００１３】
請求項３に記載の考案は、請求項１又は２に記載の泡立てネットであって、前記固着部と前記筒状網材を前記筒状網材の外周の側面方向から前記結束部材で結束するとともに、前記結束部材を軸線方向と平行に前記固着部を中心として９０°間隔で前記筒状網材の側面外周を結束し、前記突起部が軸線方向に対して上下に略等間隔に４個ずつ形成された構成を有している。
この構成により請求項１又は２で得られる作用に加え以下の作用が得られる。
（１）突起部が指の間に入り易い大きさとなり、手揉みを繰り返すことで、片手でも容易にきめ細かい泡を立てることができる。
（２）突起部が上下左右略対称に形成され、形状安定性に優れるので、収納時にも安定するとともに、空気が通りやすいので、水切れも良く、乾きやすい。
【考案の効果】
【００１４】
以上のように、本考案の泡立てネットによれば、以下のような有利な効果が得られる。
請求項１によれば、
（１）容易に製造することができ、デザイン性に優れるとともに、弾力性があり、形状安定性・耐久性に優れ、手揉みを繰り返すことで片手でも容易にきめ細かい泡を立てることができる泡立てネットを提供することができる。
【００１５】
請求項２に記載の考案によれば、請求項１の効果に加え、
（１）どの方向から握った場合でも、わざわざ持ち変えることなく使用できる泡立てネットを提供することができる。
【００１６】
請求項３に記載の考案によれば、請求項１又は２の効果に加え、
（１）耐久性に優れ、片手で容易にきめ細かい泡を立てることができるとともに、水切れが良く、乾燥しやすい泡立てネットを提供することができる。
【図面の簡単な説明】
【００１７】
【図１】実施の形態１の泡立てネットを約２倍に拡大した写真
【図２】（ａ）実施の形態１の泡立てネットの素材の筒状網材の斜視図（ｂ）実施の形態１の泡立てネットの固着部形成時の斜視図
【図３】（ａ）実施の形態１の泡立てネットの固着部を内側中央（軸芯）に移動した状態の斜視図（ｂ）実施の形態１の泡立てネットの側面方向の結束時の斜視図
【図４】（ａ）実施の形態１の泡立てネットの１回目の軸線方向の結束時の側面図（ｂ）実施の形態１の泡立てネットの２回目の軸線方向の結束時の側面図（ｃ）実施の形態１の泡立てネットの２回目の軸線方向結束時の平面図
【図５】（ａ）実施の形態１の泡立てネットの３回目の軸線方向結束時の側面図（ｂ）実施の形態１の泡立てネットの完成時の平面図
【考案を実施するための形態】
【００１８】
以下、本考案を実施するための最良の形態を、図面を参照しながら説明する。
なお、本考案はこの実施の形態に限定されるものではない。
（実施の形態１）
図１実施の形態１の泡立てネットを約２倍に拡大した写真である。
１はポリエステル製のネットで約４ｃｍ四方の大きさに形成された実施の形態１の泡立てネット、２は結束部材７（後述する）による筒状網材４（後述する）の絞り部、３は結束部材７によって形成される突起部である。
【００１９】
以上のように作製された実施の形態１の泡立てネットについて、以下その製造方法を図面を用いて説明する。
図２（ａ）は実施の形態１の泡立てネットの素材の筒状網材の斜視図であり、（ｂ）は実施の形態１の泡立てネットの固着部形成時の斜視図である。
４は泡立てネット１の素材となる長さ約３５ｃｍ，折り径約９ｃｍ，目開き５ｍｍのポリエステル製の筒状網材、４ａ，４ａ’は筒状網材４の端部、５は筒状網材４の端部４ａ，４ａ’を固着した固着部である。尚、筒状網材４の長さ方向を軸線方向という。
まず、筒状網材４を端部４ａ，４ａ’が重なるように、内側又は外側に折り込む。
次に、重なった端部４ａ，４ａ’を溶着や接着、糸での結束等の方法で固着し、略円錐状にする。
【００２０】
図３（ａ）は実施の形態１の泡立てネットの固着部を内側中央（軸芯）に移動した状態の斜視図であり、（ｂ）は実施の形態１の泡立てネットの側面方向の結束時の斜視図である。
６は固着部５が筒状網材４の軸芯に位置する時の筒状網材４の側面部、６ａは側面部６の両側の端部である折返端部、７は筒状網材４を結束する縫い針Ａに通された糸状若しくは紐状の結束部材、８は結束部材７によって形成される筒状網材４の側面方向の絞り部である。
まず、略円錐状の筒状網材４において、固着部５が筒状網材４の内部中央（軸芯）に来るように移動させる。
次に、縫い針Ａを用いて結束部材７で固着部５のある側面部６の略中央を縛り、側面方向の絞り部８を形成し、結束部材７は固着部５の側面方向に通しておく。
尚、結束部材７の端部に結び目を作り、側面絞り部８を形成する前に、一度固着部５を貫通させることで、容易に結束部材７の端部を固定しておくことができ、後の結束が容易になる。
【００２１】
図４（ａ）は実施の形態１の泡立てネットの１回目の軸線方向結束時の拡大された要部側面図であり、（ｂ）は実施の形態１の泡立てネットの２回目の軸線方向の結束時の拡大された要部側面図であり、（ｃ）は実施の形態１の泡立てネットの２回目の軸線方向の結束時の平面図である。
６ｂは折返端部６ａを筒状網材４の内側又は外側に巻込むことで形成される巻込部、９は結束部材７によって側面方向絞り部８により砂時計状に形成された筒状網材４の軸線方向絞り部、１０は軸線方向絞り部９により形成される膨出部、１０ａは膨出部１０の膨出端部である。
まず、結束部材７で縛る側の折返端部６ａを固着部方向に内側又は外側に巻き込み巻込部６ｂを形成し、上下同時に結束部材７で巻込部６ｂが形成された側面部６を軸線方向に縛って軸線方向の絞り部９を形成する。
次に、１回目の軸線方向の結束箇所に対して軸線方向と平行に固着部５を中心として１８０°方向を変えて、１回目と同様の方法で結束し、側面から見て上下に２個ずつ膨出部１０を形成する。このとき、軸線方向の絞り部９は、側面部６の上下同時に絞らず、上部と下部に分けて形成しても良い。また、筒状網材４の側面部６を１周する度に、固着部５を通すことが望ましい。
【００２２】
図５（ａ）実施の形態１の泡立てネットの３回目の軸線方向の結束時の側面図であり、（ｂ）は実施の形態１の泡立てネットの完成時の平面図である。
まず、軸線方向で上下に重なる２つの膨出部１０，１０の膨出端部１０ａ，１０ａを、１回目又は２回目の軸線方向の結束時と同様に固着部５方向に巻き込み、結束部材７で膨出部１０を軸線方向に縛って２つの突起部３，３を形成する。
次に、軸線方向に上下に２つ残った膨出部１０’，１０’の各々を３回目の軸線方向の結束時と同様に軸線方向に結束し、結束部材７を固着部５に通した後に、結び目を作り固着部５に固定し、余った結束部材７を切断することで約４ｃｍ四方の泡立てネット１が形成される。
尚、３回目及び４回目の軸線方向の結束時に、結束部材７にビーズ等を通し、側面方向絞り部８や軸線方向絞り部９をビーズ等で保護しても良い。また、突起物に泡立てネット１をぶら下げることができるように、リング状の紐状体等を結束部材７又は固着部５に固定することで配設しても良い。
【００２３】
以上のように、本実施の形態１における泡立てネットは構成されているので、以下のような作用が得られる。
（１）筒状網材４が幾重にも重なって形成されるので、石鹸や洗顔剤を付けて手揉みを繰り返すことで生成する泡が細分化され、きめ細かい泡を立てることができる。
（２）筒状網材４と針Ａ，結束部材７だけで容易に製造できる。
（３）裂けやすい筒状網材４の端部４ａ，４ａ’が固着され、且つ筒状網材の内部に内包されているので、手揉みを繰り返しても解れ難く、耐久性に優れている。
（４）突起部３が上下左右略対称に形成されており、形状安定性に優れているので、載置する時にも安定するとともに、突起部３により空気が通りやすくなっているので、水切れが良く、乾きやすい。
（５）きめ細かい泡を立てることができるので、使用した洗顔剤等に対して、生成する泡の体積が大き過ぎず、洗顔等の局部を洗浄する場合に洗浄し易い。
【産業上の利用可能性】
【００２４】
本考案は、合成樹脂製の筒状網材が軸芯方向に幾重にも巻き込まれているので、弾力性を有し、形状安定性・耐久性に優れるとともに、水切れが良く衛生面に優れ、手の平サイズに収めることができるので、片手でも容易にきめ細かい泡を立てることができ、年齢に係わらず幅広く使用できる泡立てネットを提供することができる。
【符号の説明】
【００２５】
１  実施の形態１の泡立てネット
２  絞り部
３  突起部
４  筒状網材
４ａ，４ａ’  端部
５  固着部
６  側面部
６ａ  折返端部
６ｂ  巻込部
７  結束部材
８  側面方向の絞り部
９，９’  軸線方向の絞り部
１０，１０’膨出部
１０ａ  膨出端部
Ａ  縫い針
【図２】
0003173417.tif 000003
【図３】
0003173417.tif 000004
【図４】
0003173417.tif 000005
【図５】
0003173417.tif 000006
【図１】
0003173417.tif 000007
【手続補正書】
【提出日】平成23年9月5日(2011.9.5)
【手続補正１】
【補正対象書類名】実用新案登録請求の範囲
【補正対象項目名】全文
【補正方法】変更
【補正の内容】
【実用新案登録請求の範囲】
【請求項１】
伸縮性を有する合成樹脂製の筒状網材の両端部が重なるように内側又は外側に折り込み、重なり合う前記両端部を収束固着して固着部を形成し、前記固着部を前記筒状網材の内側略中心に移動させ、前記筒状網材の軸線方向の両端部に形成される折返端部を前記固着部に向かって外側若しくは内側に巻き込み巻込部を形成し、次いで結束部材で前記固着部を中心として前記巻込部の外周を軸線方向と平行に３０〜１２０°間隔に周回して結束することで形成される複数の突起部を備えることを特徴とする泡立てネット。
【請求項２】
前記突起部が軸線方向に垂直な平面上に略等角度間隔に形成されていることを特徴とする請求項１に記載の泡立てネット。
【請求項３】
前記固着部と前記筒状網材の外周が側面側から軸線方向と垂直な方向に前記結束部材で結束され、前記巻込部が９０°間隔で結束されて、前記突起部が側面方向から見て上４個，下４個の計８個形成されることを特徴とする請求項１又は２に記載の泡立ちネット。
【手続補正２】
【補正対象書類名】明細書
【補正対象項目名】０００６
【補正方法】変更
【補正の内容】
【０００６】
上記従来の課題を解決するために、本考案の泡立てネットは、以下の構成を有している。
本考案の請求項１に記載の泡立てネットは、伸縮性を有する合成樹脂製の筒状網材の両端部が重なるように内側又は外側に折り込み、重なり合う前記両端部を収束固着して固着部を形成し、前記固着部を前記筒状網材の内側略中心に移動させ、前記筒状網材の軸線方向の両端部に形成される折返端部を前記固着部に向かって外側若しくは内側に巻き込み巻込部を形成し、次いで結束部材で前記固着部を中心として前記巻込部の外周を軸線方向と平行に３０〜１２０°間隔に周回して結束することで形成される複数の突起部を備える構成を有している。
この構成により、以下のような作用が得られる。
（１）剛性を有する筒状網材が巻き込まれて幾重にも折り重なり、結束部と結束部の間が膨出した突起部を形成し弾性を有するので、石鹸や洗顔剤を付け泡立てネットを手揉みすることで、生成する泡が細分化され、片手でも容易にきめ細かい泡を立てることができるとともに、弾力性があり、形状安定性に優れる。
（２）筒状網材の端部が巻き込まれているので、使用中に端部から裂けることが無く、耐久性に優れる。
（３）筒状網材を巻き込んで、結束部材で縛ればよいので、特別な器材等を必要とせず、容易に製造することができる。
（４）突起部の数を、結束部材の結束間隔を固着部を中心とした所定の角度にすることで調節できるので、使用する筒状網材の大きさによって、最適な大きさの突起部を形成することができるとともに、デザイン性にも優れる。
（５）固着部を介して結束するので、結束部材を固着部に固定しつつ結束することができるとともに、固着部で結束部材のほつれを保護することができる。
【手続補正３】
【補正対象書類名】明細書
【補正対象項目名】００１１
【補正方法】変更
【補正の内容】
【００１１】
請求項２に記載の考案は、請求項１に記載の泡立てネットであって、前記突起部が軸線方向に垂直な平面上に略等角度間隔に形成されている構成を有している。
この構成により、請求項１で得られる作用に加え以下の作用が得られる。
（１）突起部が略等角度間隔に形成されるので、どの方向から握った場合でも、略同じ状態でつかめるので、わざわざ持ち変えることなく泡立てる事ができ、利便性が高い。
【手続補正４】
【補正対象書類名】明細書
【補正対象項目名】００１２
【補正方法】変更
【補正の内容】
【００１２】
突起部を等角度間隔で形成することで、泡立てネットを三つ葉状、四つ葉状、梅の花弁状等のデザイン性にすぐれる形状に形成することができる。
【手続補正５】
【補正対象書類名】明細書
【補正対象項目名】００１３
【補正方法】変更
【補正の内容】
【００１３】
請求項３に記載の考案は、請求項１又は２に記載の泡立てネットであって、前記固着部と前記筒状網材の外周が側面側から軸線方向と垂直な方向に前記結束部材で結束され、前記巻込部が９０°間隔で結束されて、前記突起部が側面方向から見て上４個，下４個の計８個形成される構成を有している。
この構成により請求項１又は２で得られる作用に加え以下の作用が得られる。
（１）突起部が指の間に入り易い大きさとなり、手揉みを繰り返すことで、片手でも容易にきめ細かい泡を立てることができる。
（２）突起部が上下左右略対称に形成され、形状安定性に優れるので、収納時にも安定するとともに、空気が通りやすいので、水切れも良く、乾きやすい。
【手続補正６】
【補正対象書類名】明細書
【補正対象項目名】００２１
【補正方法】変更
【補正の内容】
【００２１】
図４（ａ）は実施の形態１の泡立てネットの１回目の軸線方向結束時の拡大された要部側面図であり、（ｂ）は実施の形態１の泡立てネットの２回目の軸線方向の結束時の拡大された要部側面図であり、（ｃ）は実施の形態１の泡立てネットの２回目の軸線方向の結束時の平面図である。
６ｂは折返端部６ａの一側部を筒状網材４の内側又は外側に巻込むことで形成される巻込部、９は結束部材７によって側面方向絞り部８により砂時計状に形成された筒状網材４の軸線方向絞り部、１０は軸線方向絞り部９により形成される膨出部、１０ａは膨出部１０の膨出端部である。
まず、結束部材７で縛る側の折返端部６ａの一側部を固着部方向に内側又は外側に巻き込み巻込部６ｂを形成し、上下同時に結束部材７で巻込部６ｂが形成された側面部６を軸線方向に縛って軸線方向の絞り部９を形成する。
次に、１回目の軸線方向の結束箇所に対して軸線方向と平行に固着部５を中心として１８０°方向を変えて、１回目と同様の方法で結束し、側面から見て上下に２個ずつ膨出部１０を形成する。このとき、軸線方向の絞り部９は、側面部６の上下同時に絞らず、上部と下部に分けて形成しても良い。また、筒状網材４の側面部６を１周する度に、固着部５を通すことが望ましい。
【手続補正書】
【提出日】平成23年11月28日(2011.11.28)
【手続補正１】
【補正対象書類名】実用新案登録請求の範囲
【補正対象項目名】全文
【補正方法】変更
【補正の内容】
【実用新案登録請求の範囲】
【請求項１】
伸縮性を有する合成樹脂製の筒状網材の両端部が重なるように内側又は外側に折り込み、重なり合う前記両端部を収束固着して固着部を形成し、前記固着部を前記筒状網材の内側略中心に移動させ、前記筒状網材の軸線方向の両端部に形成される円形状の折返端部をそれぞれ前記固着部に向かって外側若しくは内側に巻き込み上下に巻込部を形成し、次いで結束部材で前記固着部を中心として前記巻込部の外周を軸線方向と平行に３０〜１２０°間隔に周回して結束することで形成される複数の突起部を備えることを特徴とする泡立てネット。
【請求項２】
前記突起部が軸線方向に垂直な平面上に等角度間隔に形成されていることを特徴とする請求項１に記載の泡立てネット。
【請求項３】
前記固着部と前記筒状網材の外周が側面側から軸線方向と垂直な方向に前記結束部材で結束され、前記巻込部の外周が９０°間隔で結束されて、前記突起部が上下４個ずつの計８個形成されることを特徴とする請求項２に記載の泡立ちネット。
【手続補正２】
【補正対象書類名】明細書
【補正対象項目名】０００６
【補正方法】変更
【補正の内容】
【０００６】
上記従来の課題を解決するために、本考案の泡立てネットは、以下の構成を有している。
本考案の請求項１に記載の泡立てネットは、伸縮性を有する合成樹脂製の筒状網材の両端部が重なるように内側又は外側に折り込み、重なり合う前記両端部を収束固着して固着部を形成し、前記固着部を前記筒状網材の内側略中心に移動させ、前記筒状網材の軸線方向の両端部に形成される円形状の折返端部をそれぞれ前記固着部に向かって外側若しくは内側に巻き込み上下に巻込部を形成し、次いで結束部材で前記固着部を中心として前記巻込部の外周を軸線方向と平行に３０〜１２０°間隔に周回して結束することで形成される複数の突起部を備える構成を有している。
この構成により、以下のような作用が得られる。
（１）剛性を有する筒状網材が巻き込まれて幾重にも折り重なり、結束部と結束部の間が膨出した突起部を形成し弾性を有するので、石鹸や洗顔剤を付け泡立てネットを手揉みすることで、生成する泡が細分化され、片手でも容易にきめ細かい泡を立てることができるとともに、弾力性があり、形状安定性に優れる。
（２）筒状網材の端部が巻き込まれているので、使用中に端部から裂けることが無く、耐久性に優れる。
（３）筒状網材を巻き込んで、結束部材で縛ればよいので、特別な器材等を必要とせず、容易に製造することができる。
（４）突起部の数を、結束部材による巻込部の結束間隔を固着部を中心とした所定の角度にすることで調節できるので、使用する筒状網材の大きさによって、最適な大きさの突起部を形成することができるとともに、デザイン性にも優れる。
（５）固着部を介して結束するので、結束部材を固着部に固定しつつ結束することができるとともに、固着部で結束部材のほつれを保護することができる。
【手続補正３】
【補正対象書類名】明細書
【補正対象項目名】０００９
【補正方法】変更
【補正の内容】
【０００９】
突起部は、結束部材で巻込部の外周を固着部を中心として３０〜１２０°間隔で結束して、２個以上形成される。結束部の間隔が３０°より小さくなるにつれ、突起部の数が増え過ぎ、製造が困難になる傾向にあり好ましくない。１２０°より大きくなるにつれ、幅広に形成されるので、手が小さい子供等では片手で使いづらく利便性に欠ける。
突起部は、結束部材で筒状網材を外周側面側から結束することで、突起部を軸線方向に対して複数に分割するよう形成しても良い。
【手続補正４】
【補正対象書類名】明細書
【補正対象項目名】００１１
【補正方法】変更
【補正の内容】
【００１１】
請求項２に記載の考案は、請求項１に記載の泡立てネットであって、前記突起部が軸線方向に垂直な平面上に等角度間隔に形成されている構成を有している。
この構成により、請求項１で得られる作用に加え以下の作用が得られる。
（１）突起部が等角度間隔に形成されるので、どの方向から握った場合でも、略同じ状態でつかめるので、わざわざ持ち変えることなく泡立てる事ができ、利便性が高い。
【手続補正５】
【補正対象書類名】明細書
【補正対象項目名】００１３
【補正方法】変更
【補正の内容】
【００１３】
請求項３に記載の考案は、請求項２に記載の泡立てネットであって前記固着部と前記筒状網材の外周が側面側から軸線方向と垂直な方向に前記結束部材で結束され、前記巻込部の外周が９０°間隔で結束されて、前記突起部が上下４個ずつの計８個形成される構成を有している。
この構成により請求項２で得られる作用に加え以下の作用が得られる。
（１）突起部が指の間に入り易い大きさとなり、手揉みを繰り返すことで、片手でも容易にきめ細かい泡を立てることができる。
（２）突起部が上下左右略対称に形成され、形状安定性に優れるので、収納時にも安定するとともに、空気が通りやすいので、水切れも良く、乾きやすい。
【手続補正６】
【補正対象書類名】明細書
【補正対象項目名】００１６
【補正方法】変更
【補正の内容】
【００１６】
請求項３に記載の考案によれば、請求項２の効果に加え、
（１）耐久性に優れ、片手で容易にきめ細かい泡を立てることができるとともに、水切れが良く、乾燥しやすい泡立てネットを提供することができる。
【手続補正７】
【補正対象書類名】明細書
【補正対象項目名】００１７
【補正方法】変更
【補正の内容】
【００１７】
請求項３に記載の考案によれば、請求項２の効果に加え、
（１）耐久性に優れ、片手で容易にきめ細かい泡を立てることができるとともに、水切れが良く、乾燥しやすい泡立てネットを提供することができる。
【図１】実施の形態１の泡立てネットを約２倍に拡大した写真
【図２】（ａ）実施の形態１の泡立てネットの素材の筒状網材の斜視図（ｂ）実施の形態１の泡立てネットの固着部形成時の斜視図
【図３】（ａ）実施の形態１の泡立てネットの固着部を内側中央（軸芯）に移動した状態の斜視図（ｂ）実施の形態１の泡立てネットの側面方向の結束時の斜視図
【図４】（ａ）実施の形態１の泡立てネットの１回目の軸線方向の結束時の正面図（ｂ）実施の形態１の泡立てネットの２回目の軸線方向の結束時の正面図（ｃ）実施の形態１の泡立てネットの２回目の軸線方向結束時の平面図
【図５】（ａ）実施の形態１の泡立てネットの３回目の軸線方向結束時の左側面図（ｂ）実施の形態１の泡立てネットの完成時の平面図
【手続補正８】
【補正対象書類名】明細書
【補正対象項目名】００２０
【補正方法】変更
【補正の内容】
【００２０】
図３（ａ）は実施の形態１の泡立てネットの固着部を内側中央（軸芯）に移動した状態の斜視図であり、（ｂ）は実施の形態１の泡立てネットの側面方向の結束時の斜視図である。
６は固着部５が筒状網材４の軸芯に位置する時の筒状網材４の側面部、６ａは側面部６の上下の端部である円形状の折返端部、７は筒状網材４を結束する縫い針Ａに通された糸状若しくは紐状の結束部材、８は結束部材７によって形成される筒状網材４の側面方向の絞り部である。
まず、略円錐状の筒状網材４（図２（ｂ））において、固着部５が筒状網材４の内部中央（軸芯）に来るように移動させる（図３（ａ））。
次に、縫い針Ａを用いて結束部材７で固着部５のある側面部６の略中央を縛り、側面方向の絞り部８を形成し、結束部材７は固着部５の側面方向に通しておく（図３（ｂ））。
尚、結束部材７の端部に結び目を作り、側面絞り部８を形成する前に、一度固着部５を貫通させることで、容易に結束部材７の端部を固定しておくことができ、後の結束が容易になる。
【手続補正９】
【補正対象書類名】明細書
【補正対象項目名】００２１
【補正方法】変更
【補正の内容】
【００２１】
図４（ａ）は実施の形態１の泡立てネットの１回目の軸線方向結束時の拡大された要部正面図であり、（ｂ）は実施の形態１の泡立てネットの２回目の軸線方向の結束時の拡大された要部正面図であり、（ｃ）は実施の形態１の泡立てネットの２回目の軸線方向の結束時の平面図である。
６ｂは上下の円形状の折返端部６ａの正面側を筒状網材４の内側又は外側に巻込むことで形成される巻込部（図４（ａ））、９は結束部材７によって側面方向絞り部８により砂時計状に形成された筒状網材４の軸線方向絞り部、１０，１０’は２回目の軸線方向の結束後に軸線方向絞り部９により形成される膨出部、１０ａ，１０ａ’は膨出部１０，１０’の膨出端部である。
まず、結束部材７で縛る上下の折返端部６ａの正面側をそれぞれ固着部方向に内側又は外側に巻き込み上下に巻込部６ｂを形成し、上下同時に結束部材７で巻込部６ｂが形成された側面部６を軸線方向に縛って軸線方向の絞り部９を形成する（図４（ａ））。
次に、１回目の軸線方向の結束箇所に対して軸線方向と平行に固着部５を中心として１８０°方向を変えて、１回目と同様の方法で結束し、正面から見て左側及び右側の上下に２個ずつ膨出部１０，１０’を形成する（図４（ｂ））。このとき、軸線方向の絞り部９は、側面部６の上下同時に絞らず、上部と下部に分けて形成しても良い。また、筒状網材４の側面部６を１周する度に、固着部５を通すことが望ましい。
【手続補正１０】
【補正対象書類名】明細書
【補正対象項目名】００２２
【補正方法】変更
【補正の内容】
【００２２】
図５（ａ）実施の形態１の泡立てネットの３回目の軸線方向の結束時の左側面図であり、（ｂ）は実施の形態１の泡立てネットの完成時の平面図である。
まず、軸線方向で上下に重なる左側の２つの巻込部６ｂからなる膨出部１０，１０の膨出端部１０ａ，１０ａを、１回目又は２回目の軸線方向の結束時と同様にそれぞれ固着部５方向に巻き込み、結束部材７で上下の膨出部１０，１０を軸線方向に縛って正面側及び背面側２つの突起部３，３を上下に形成する（図５（ａ））。
次に、軸線方向に上下に２つ残った巻込部６ｂからなる右側の膨出部１０’，１０’の各々の膨出端部１０ａ’，１０ａ’を３回目の軸線方向の結束時と同様に固着部５方向に巻き込み、結束部材７で軸線方向に結束し、結束部材７を固着部５に通した後に、結び目を作り固着部５に固定し、余った結束部材７を切断することで約４ｃｍ四方の泡立てネット１が形成される（図５（ｂ））。
尚、３回目及び４回目の軸線方向の結束時に、結束部材７にビーズ等を通し、側面方向絞り部８や軸線方向絞り部９をビーズ等で保護しても良い。また、突起物に泡立てネット１をぶら下げることができるように、リング状の紐状体等を結束部材７又は固着部５に固定することで配設しても良い。
【手続補正１１】
【補正対象書類名】明細書
【補正対象項目名】００２５
【補正方法】変更
【補正の内容】
【００２５】
１  実施の形態１の泡立てネット
２  絞り部
３  突起部
４  筒状網材
４ａ，４ａ’  端部
５  固着部
６  側面部
６ａ  折返端部
６ｂ  巻込部
７  結束部材
８  側面方向の絞り部
９，９’  軸線方向の絞り部
１０，１０’膨出部
１０ａ，１０ａ’  膨出端部
Ａ  縫い針
【手続補正１２】
【補正対象書類名】図面
【補正対象項目名】図３
【補正方法】変更
【補正の内容】
【図３】
0003173417.tif 000008
【手続補正１３】
【補正対象書類名】図面
【補正対象項目名】図４
【補正方法】変更
【補正の内容】
【図４】
0003173417.tif 000009
【手続補正１４】
【補正対象書類名】図面
【補正対象項目名】図５
【補正方法】変更
【補正の内容】
【図５】
0003173417.tif 000010